(57)【要約】【課題】被検眼の眼底を撮影した複数の動画像の比較観察を容易に行えるようにして、適切な診断を支援する仕組みを提供する。【解決手段】被検眼の眼底を撮影した複数の動画像を取得する画像取得部１１０と、複数の動画像におけるそれぞれの撮影時に得られた生体信号に基づく時相データを取得する時相データ取得部１２０と、動画像と、当該動画像の撮影時に得られた時相データとを対とするデータセットを評価する評価部１５２と、動画像に基づく画像と、当該動画像を含むデータセットの評価部１５２による評価結果とを表示する表示部１６０を備える。【選択図】図４
2017136205.tif 000002
【特許請求の範囲】
【請求項１】
被検眼の眼底を撮影した複数の動画像を取得する第１の取得手段と、
前記複数の動画像におけるそれぞれの撮影時に得られた生体信号に基づく時相データを取得する第２の取得手段と、
前記動画像と、当該動画像の撮影時に得られた前記時相データとを対とするデータセットを評価する評価手段と、
前記動画像に基づく画像と、当該動画像を含む前記データセットの前記評価手段による評価結果とを表示する表示手段と
を有することを特徴とする画像表示装置。
【請求項２】
前記評価手段は、前記動画像の撮影時に得られた前記時相データの有無に基づく評価をすることを特徴とする請求項１に記載の画像表示装置。
【請求項３】
前記第２の取得手段は、前記時相データとして、前記被検眼に係る被検者の脈波データを取得することを特徴とする請求項１に記載の画像表示装置。
【請求項４】
前記評価手段は、前記動画像において、前記脈波データにおける拍動の区間に有効なフレームが存在するか否かに基づく評価をすることを特徴とする請求項３に記載の画像表示装置。
【請求項５】
前記評価手段は、前記動画像において、各フレームの画質または前記被検眼の瞬きの有無に基づくエラーフレームが存在するか否かに基づく評価をすることを特徴とする請求項１に記載の画像表示装置。
【請求項６】
前記第１の取得手段は、前記被検眼の眼底における異なる位置の複数の撮影領域で撮影された前記複数の動画像を取得することを特徴とする請求項１乃至５のいずれか１項に記載の画像表示装置。
【請求項７】
前記表示手段は、前記複数の撮影領域を含む範囲を撮影して得られた広画角画像上に前記複数の動画像に基づく画像を配置して前記表示を行うことを特徴とする請求項６に記載の画像表示装置。
【請求項８】
前記第１の取得手段は、前記被検眼の眼底における同じ撮影領域で撮影された前記複数の動画像を取得することを特徴とする請求項１乃至５のいずれか１項に記載の画像表示装置。
【請求項９】
前記表示手段は、前記複数の動画像に基づく画像を並列に配置して前記表示を行うことを特徴とする請求項８に記載の画像表示装置。
【請求項１０】
前記第１の取得手段は、走査型レーザー検眼鏡装置または補償光学系を備えた走査型レーザー検眼鏡装置で撮影された前記複数の動画像を取得することを特徴とする請求項１乃至９のいずれか１項に記載の画像表示装置。
【請求項１１】
被検眼の眼底を撮影した複数の動画像に基づく画像を表示する画像表示装置による画像表示方法であって、
前記複数の動画像を取得する第１の取得ステップと、
前記複数の動画像におけるそれぞれの撮影時に得られた生体信号に基づく時相データを取得する第２の取得ステップと、
前記動画像と、当該動画像の撮影時に得られた前記時相データとを対とするデータセットを評価する評価ステップと、
前記動画像に基づく画像と、当該動画像を含む前記データセットの前記評価ステップによる評価結果とを表示する表示ステップと
を有することを特徴とする画像表示方法。
【請求項１２】
被検眼の眼底を撮影した複数の動画像に基づく画像を表示する画像表示装置による画像表示方法をコンピュータに実行させるためのプログラムであって、
前記複数の動画像を取得する第１の取得ステップと、
前記複数の動画像におけるそれぞれの撮影時に得られた生体信号に基づく時相データを取得する第２の取得ステップと、
前記動画像と、当該動画像の撮影時に得られた前記時相データとを対とするデータセットを評価する評価ステップと、
前記動画像に基づく画像と、当該動画像を含む前記データセットの前記評価ステップによる評価結果とを表示する表示ステップと
をコンピュータに実行させるためのプログラム。
【請求項１３】
請求項１２に記載のプログラムを記憶したことを特徴とするコンピュータ読み取り可能な記憶媒体。
【発明の詳細な説明】
【技術分野】
【０００１】
本発明は、被検眼の眼底を撮影した複数の動画像に基づく画像を表示する画像表示装置及び画像表示方法、当該画像表示方法をコンピュータに実行させるためのプログラム、並びに、当該プログラムを記憶したコンピュータ読み取り可能な記憶媒体に関する。
【背景技術】
【０００２】
生活習慣病や失明原因の上位を占める疾病の早期診断を目的として、被検眼の眼底検査が広く行われている。共焦点レーザー顕微鏡の原理を利用した眼科装置として、走査型レーザー検眼鏡（ＳＬＯ：Ｓｃａｎｎｉｎｇ  Ｌａｓｅｒ  Ｏｐｈｔｈａｌｍｏｓｃｏｐｅ）がある。このＳＬＯ装置は、測定光であるレーザー光を被検眼の眼底に対してラスタースキャンを行い、その戻り光の強度から平面画像である眼底画像を高分解能かつ高速に得る装置である。
【０００３】
近年、被検眼の収差を波面センサでリアルタイムに測定し、被検眼において発生する測定光やその戻り光の収差を波面補正デバイスで補正する補償光学系を備えた補償光学ＳＬＯ（ＡＯ−ＳＬＯ：ａｄａｐｔｉｖｅ  Ｏｐｔｉｃｓ  ＳＬＯ）装置が開発されている。この補償光学ＳＬＯ装置では、高横分解能な平面画像（以下、「ＡＯ−ＳＬＯ画像」という場合がある）の取得を可能にしている。
【０００４】
このような高横分解能な平面画像であるＡＯ−ＳＬＯ画像を用いることにより、非侵襲に網膜の毛細血管や視細胞などを観察できるようになった。例えば、血流動態を非侵襲に観察するために、動画像の各フレームから網膜血管や血球を抽出した上で毛細血管における血球の移動速度などの計測や、平面画像から視機能との関連を評価するために視細胞を検出した上で視細胞の密度分布や配列の計測が行われている。
【０００５】
ここで、上述した比較観察においては、病態を深く理解するために動画像の撮像範囲外にある解剖学的部位・病変もしくは正常部位との位置関係を把握することが重要であり、当該比較観察に用いるために、別途、広画角画像を取得している（特許文献１を参照）。ただし、血管径や血流速度の差は、（疾患による変化のみならず）心臓の拍動や運動・体温変化のような正常な生体反応によっても生じるため、異なる撮影位置で撮影した場合にはその生体反応の影響を撮影位置間で同程度にして比較する必要がある。即ち、撮影時に脈波のような生体信号データ（時相データ）を同時に取得しておき、例えば心臓の拡張末期（血管径が最も太く、かつ血流速度が最も遅くなる時刻）における血管径や血流速度を比較することが必要となる（特許文献２を参照）。
【先行技術文献】
【特許文献】
【０００６】
【特許文献１】特開２０１０−２５９５４３号公報
【特許文献２】特開２０１３−１６９３０８号公報
【発明の概要】
【発明が解決しようとする課題】
【０００７】
しかしながら、特許文献２などの従来の技術において、撮影時に時相データを同時に取得していたとしても、固視微動や瞬目といった眼球・眼瞼運動の影響によって、解析に必要なＡＯ−ＳＬＯ画像の動画像（以下、「ＡＯ−ＳＬＯ動画像」という場合がある）のフレームが欠如している、もしくは十分な枚数のフレームがないという場合が生じることがある。また、解析に必要なＡＯ−ＳＬＯ動画像が撮影されていたとしても、時相データが欠如している場合も生じることがある。そうすると、ユーザは、解析する際に、時相データを伴い、かつ解析に十分な条件を満たすＡＯ−ＳＬＯ動画像を選ぶ必要がある。また、解析を所望する眼底の位置において、時相データを伴い、かつ解析に十分な条件を満たすＡＯ−ＳＬＯ動画像が撮影できていない場合、その眼底の位置で再度撮影を行う必要がある。
【０００８】
一方で、ＡＯ−ＳＬＯ画像は画角が狭く、１人の被検者の眼底の中で異なる位置の複数の撮影領域でその動画像を撮影する必要がある場合もある。また、例えば、経過観察や治療の前後における観察を目的として、眼底の同じ位置で時間を前後して複数のＡＯ−ＳＬＯ動画像を撮影する場合もある。このような場合、多くのＡＯ−ＳＬＯ動画像の中から時相データを伴い、かつ解析に十分な条件を満たすＡＯ−ＳＬＯ動画像をユーザが選択もしくは判断するのは非常に困難である。
【０００９】
本発明は、このような問題点に鑑みてなされたものであり、被検眼の眼底を撮影した複数の動画像の比較観察を容易に行えるようにして、適切な診断を支援する仕組みを提供することを目的とする。
【課題を解決するための手段】
【００１０】
本発明の画像表示装置は、被検眼の眼底を撮影した複数の動画像を取得する第１の取得手段と、前記複数の動画像におけるそれぞれの撮影時に得られた生体信号に基づく時相データを取得する第２の取得手段と、前記動画像と、当該動画像の撮影時に得られた前記時相データとを対とするデータセットを評価する評価手段と、前記動画像に基づく画像と、当該動画像を含む前記データセットの前記評価手段による評価結果とを表示する表示手段とを有する。
また、本発明は、上述した画像表示装置による画像表示方法、当該画像表示方法をコンピュータに実行させるためのプログラム、並びに、当該プログラムを記憶したコンピュータ読み取り可能な記憶媒体を含む。
【発明の効果】
【００１１】
本発明によれば、被検眼の眼底を撮影した複数の動画像の比較観察を容易に行うことができる。これにより、適切な診断を支援することができる。
【図面の簡単な説明】
【００１２】
【図１】本発明の実施形態に係る画像表示装置を含む撮影システムの概略構成の一例を示す図である。
【図２】図１に示すＳＬＯ装置の内部構成の一例を示す図である。
【図３】図１に示す画像表示装置のハードウェア構成の一例を示す図である。
【図４】図１に示す画像表示装置の機能構成の一例を示す図である。
【図５】本発明の第１の実施形態を示し、図４に示す画像表示装置による画像表示方法の処理手順の一例を示すフローチャートである。
【図６】図４に示す時相データ取得部で取得する時相データを説明するための図である。
【図７】本発明の第１の実施形態を示し、固視標位置の一例を示す図である。
【図８】図５のステップＳ５３０における詳細な処理手順の一例を示すフローチャートである。
【図９】本発明の第１の実施形態を示し、図４に示す表示部の表示例を示す図である。
【図１０】本発明の第２の実施形態を示し、図４に示す画像表示装置による画像表示方法の処理手順の一例を示すフローチャートである。
【図１１】本発明の第２の実施形態を示し、図４に示す表示部の表示例を示す図である。
【発明を実施するための形態】
【００１３】
以下に、図面を参照しながら、本発明を実施するための形態（実施形態）について説明する。
【００１４】
（第１の実施形態）
まず、本発明の第１の実施形態について説明する。
【００１５】
第１の実施形態に係る画像表示装置は、被検眼の眼底における異なる位置の複数の撮影領域で撮影された複数のＡＯ−ＳＬＯ動画像に基づく画像を、複数の撮影領域を含む範囲を撮影して得られた広画角画像上の撮影位置情報に基づく位置に配置して表示する。さらに、第１の実施形態に係る画像表示装置は、ＡＯ−ＳＬＯ動画像と、当該ＡＯ−ＳＬＯ動画像の撮影時に得られた生体信号に基づく時相データとを対とするデータセットを評価し、当該ＡＯ−ＳＬＯ動画像に基づく画像とともにその評価結果を表示する。これにより、ユーザは、複数のＡＯ−ＳＬＯ動画像のうち、条件を満たす評価結果のＡＯ−ＳＬＯ動画像を識別することができる。
【００１６】
図１は、本発明の実施形態に係る画像表示装置１００を含む撮影システム１０の概略構成の一例を示す図である。
撮影システム１０は、図１に示すように、画像表示装置１００、ＳＬＯ装置２００、時相データ生成装置３００、データサーバ装置４００、及び、ＬＡＮ（Ｌｏｃａｌ  Ａｒｅａ  Ｎｅｔｗｏｒｋ）５００を有して構成されている。
【００１７】
図１に示す撮影システム１０において、画像表示装置１００は、ＳＬＯ装置２００、時相データ生成装置３００、データサーバ装置４００と、ＬＡＮ５００を介して接続されている。なお、これらの装置間の接続は、インターネット等の外部ネットワークを介して接続される構成であってもよい。また、これらの画像表示装置１００、ＳＬＯ装置２００、時相データ生成装置３００及びデータサーバ装置４００のうちのいくつかの装置を１つの装置において実現する構成としてもよい。例えば、画像表示装置１００とデータサーバ装置４００とが１つの情報処理装置として実現されてもよい。
【００１８】
ＳＬＯ装置２００は、主として、被検眼の眼底を撮影して複数のＡＯ−ＳＬＯ動画像を生成する。特に、本実施形態に係るＳＬＯ装置２００は、被検眼の眼底における異なる位置の複数の撮影領域に係る複数のＡＯ−ＳＬＯ動画像を撮影するとともに、上述した複数の撮影領域を含む範囲について広画角画像を撮影する処理を行う。
【００１９】
画像表示装置１００は、主として、ＳＬＯ装置２００で撮影された画像を表示する処理を行う。
【００２０】
時相データ生成装置３００は、主として、複数のＡＯ−ＳＬＯ動画像におけるそれぞれの撮影時に同期して生体信号に基づく時相データを生成する処理を行う。具体的に、時相データ生成装置３００は、自律的に変化する生体信号に基づく時相データを生成する装置であり、例えば脈波計もしくは心電計を備える。ここで、本実施形態では、時相データとして脈波データを適用した例について説明する。また、時相データ生成装置３００は、操作者による操作入力に応じて、ＳＬＯ装置２００によるＡＯ−ＳＬＯ動画像の撮影と同時に時相データを生成する。そして、時相データ生成装置３００は、生成した時相データを、ＬＡＮ５００を介して、画像表示装置１００やデータサーバ装置４００へ送信する。
【００２１】
データサーバ装置４００は、主として、被検眼における複数のＡＯ−ＳＬＯ動画像や広画角画像、時相データ、その他の各種のデータ（後述する固視標位置を含む撮影条件データなど）や各種の情報（画像表示装置１００からの情報など）を保存する。また、データサーバ装置４００は、画像表示装置１００からの要求に応じて、ＡＯ−ＳＬＯ動画像や広画角画像、時相データ、その他の各種のデータや各種の情報を、ＬＡＮ５００を介して、画像表示装置１００に送信する。以下の説明では、画像表示装置１００がＳＬＯ装置２００や時相データ生成装置３００からＳＬＯ動画像や時相データを取得して画像表示を行う場合について説明するが、本実施形態においてはこれに限定されるものではない。例えば、画像表示装置１００が、データサーバ装置４００に保存されているＳＬＯ画像やこれに関連付けられた時相データを取得して、以下に示す画像表示処理を行うようにしてもよい。
【００２２】
ＬＡＮ５００は、例えば、光ファイバ、ＵＳＢやＩＥＥＥ１３９４等で構成されるローカル・エリア・ネットワークである。
【００２３】
次に、図１に示すＳＬＯ装置２００の内部構成について説明する。
図２は、図１に示すＳＬＯ装置２００の内部構成の一例を示す図である。この図２では、ＳＬＯ装置２００として補償光学系を備えた補償光学ＳＬＯ装置を適用した例を示している。
【００２４】
光源２０１は、被検眼Ｅの眼底Ｅｒに対して光を照射するものであり、ここでは、ＳＬＤ光源（Ｓｕｐｅｒ  Ｌｕｍｉｎｅｓｃｅｎｔ  Ｄｉｏｄｅ）を用いるものとする。なお、図２では、眼底撮影のための光源と波面測定のための光源を光源２０１で共用する例を示しているが、本実施形態ではこれに限定されるものではなく、眼底撮影のための光源と波面測定のための光源を別の光源とし、途中で合波する構成としてもよい。
【００２５】
光源２０１から照射された光は、単一モード光ファイバ２０２を通って、コリメータ２０３により、平行な測定光２０１ａとして照射される。照射された測定光２０１ａは、ビームスプリッタからなる光分割部２０４を透過し、補償光学系に導光される。
【００２６】
補償光学系は、光分割部２０５、波面センサ２１３、波面補正デバイス２０７、及び、それらに導光するための反射ミラー２０６−１〜２０６−４を有して構成されている。ここで、反射ミラー２０６−１〜２０６−４は、少なくとも被検眼Ｅの瞳と波面センサ２１３、波面補正デバイス２０７とが、光学的に共役関係になるように設置されている。また、本実施形態では、光分割部２０５としてビームスプリッタを用いる。また、本実施形態では、波面補正デバイス２０７として液晶素子を用いた空間位相変調器を用いる。なお、波面補正デバイス２０７として可変形状ミラーを用いる構成としてもよい。
【００２７】
補償光学系を通過した測定光２０１ａは、走査光学系２０８によって、１次元もしくは２次元に走査される。本実施形態では、走査光学系２０８として、主走査用（眼底水平方向）と副走査用（眼底垂直方向）に２つのガルバノスキャナを用いる。なお、より高速な撮影のために、走査光学系２０８の主走査側に共振スキャナを用いてもよい。
【００２８】
走査光学系２０８で走査された測定光２０１ａは、接眼レンズ２０９−１及び２０９−２を通して被検眼Ｅに照射される。被検眼Ｅに照射された測定光２０１ａは、眼底Ｅｒで反射もしくは散乱される。接眼レンズ２０９−１及び２０９−２の位置を調整することによって、被検眼Ｅの視度にあわせて最適な照射を行うことが可能となる。ここでは、接眼レンズを用いたが、球面ミラーなどで構成してもよい。
【００２９】
被検眼Ｅの眼底Ｅｒにおける網膜から反射もしくは散乱された反射散乱光（戻り光）は、入射した時と同様の経路を逆向きに進行し、光分割部２０５によって一部は波面センサ２１３に反射され、戻り光の波面を測定するために用いられる。波面センサ２１３は、補償光学制御部２１４に接続されており、測定した波面の波面データを補償光学制御部２１４に送信する。また、波面補正デバイス２０７も補償光学制御部２１４に接続されており、補償光学制御部２１４からの指示に基づいて戻り光の波面補正を行う。具体的に、補償光学制御部２１４は、波面センサ２１３で測定された波面を基に収差のない波面へと補正するような変調量（補正量）を算出し、波面補正デバイス２０７に変調量（補正量）に基づく変調を行うように制御する。なお、波面センサ２１３による波面測定と波面補正デバイス２０７への制御指示は繰り返し処理され、常に、最適な波面となるようにフィードバック制御が行われる。
【００３０】
光分割部２０５を透過した戻り光は、光分割部２０４によって一部が反射され、コリメータ２１０及び光ファイバ２１１を通して、光強度センサ２１２に導光される。光強度センサ２１２は、導光された戻り光を電気信号（画像信号）に変換し、また、制御部２１５は、光強度センサ２１２で得られた電気信号（画像信号）に基づいて画像データ（動画像もしくは静止画像）を生成する処理を行う。そして、制御部２１５は、生成した画像データ（動画像もしくは静止画像）を、ＬＡＮ５００を介して、画像表示装置１００やデータサーバ装置４００へ送信する。
【００３１】
なお、図２において、例えば制御部２１５は、走査光学系２０８の振り角を大きくする制御を行うとともに補償光学制御部２１４が収差補正を行わないよう制御することによって、ＳＬＯ装置２００は、広画角なＳＬＯ画像を撮像することができる。また、画像の撮影時には、被験者に対して固視標が表示される。固視標は、例えば有機ＥＬディスプレイ（不図示）を用いて表示される。この固視標の位置は、変更できるようになっており、固視標の位置を変えることにより、被検眼Ｅの向きを変更することができる。これによって、測定光２０１ａが眼底Ｅｒ上で集光する箇所を変更することにより、撮影位置を変更できるようになっている。本実施形態では、固視標に有機ＥＬディスプレイを用いるが、これに限定されず、液晶ディスプレイや蛍光表示管などを使用してもよい。この撮影時の固視標の位置を含む撮影条件データも画像データとともに、ＬＡＮ５００を介して、画像表示装置１００やデータサーバ装置４００へ送信される。
【００３２】
また、固視微動と呼ばれる不随意的な眼球運動や固視不良による眼球運動或いは顔の動きに伴う被検眼Ｅの動きの影響を軽減するために、被検眼Ｅの動きを追尾（トラッキング）する場合がある。眼底Ｅｒの動きの計測には、ＳＬＯ装置２００によって生成した眼底画像を用いて、不図示の計算部によって特徴を持った小領域の画像であるテンプレート画像を抽出し、テンプレート画像と最も似た部位を探すパターン・マッチングによって眼底Ｅｒの動きを計測する方法などがある。この場合、光学系内に不図示のスキャナを設置し、不図示の制御部を当該スキャナと計算部を接続する位置に設置することにより、照射光の位置を当該スキャナによって計測した眼底Ｅｒの動きに追従させることができる。これによって、１動画像内の各フレーム間の撮影位置がずれることを軽減することができる。
【００３３】
次に、図１に示す画像表示装置１００のハードウェア構成について説明する。
図３は、図１に示す画像表示装置１００のハードウェア構成の一例を示す図である。
【００３４】
画像表示装置１００は、図３に示すように、ＣＰＵ１０１、ＲＡＭ１０２、ＲＯＭ１０３、外部記憶メモリ１０４、モニタ１０５、キーボード１０６、マウス１０７、インターフェイス１０８、及び、バス１０９のハードウェア構成を有する。
【００３５】
ＣＰＵ１０１は、例えば、ＲＯＭ１０３或いは外部記憶メモリ１０４に記憶されたプログラムやデータや情報を用いて、当該画像表示装置１００全体の制御や各種の処理を行う中央演算処理装置である。
【００３６】
ＲＡＭ１０２は、ＲＯＭ１０３或いは外部記憶メモリ１０４からロードされたプログラムやデータや情報を一時的に記憶するエリアを備えるとともに、ＣＰＵ１０１が各種の処理を行うために必要とするワークエリアを備える、読み書き可能なメモリである。
【００３７】
ＲＯＭ１０３は、変更を必要としないプログラムや各種のデータや各種のパラメータ等の情報などを格納している。
【００３８】
外部記憶メモリ１０４は、例えば、オペレーティングシステム（ＯＳ）やＣＰＵ１０１が実行するプログラム、更には、本実施形態の説明において既知としているデータや情報などを記憶している。なお、本実施形態においては、本発明の実施形態に係る処理を実行するためのプログラムは、外部記憶メモリ１０４に記憶されているものとするが、例えばＲＯＭ１０３に記憶されている形態であっても適用可能である。
【００３９】
モニタ１０５は、ＣＰＵ１０１の制御に基づいて、各種の画像や各種のデータ、各種の情報を表示する。
【００４０】
キーボード１０６及びマウス１０７は、例えばユーザが当該画像表示装置１００に対して各種の指示を行う際に操作され、当該指示をＣＰＵ１０１などに入力する入力デバイスである。
【００４１】
インターフェイス１０８は、例えば、画像表示装置１００がＬＡＮ５００を介して外部装置との間で行う各種の情報や各種の信号などの送受信を司るものである。
【００４２】
バス１０９は、ＣＰＵ１０１、ＲＡＭ１０２、ＲＯＭ１０３、外部記憶メモリ１０４、モニタ１０５、キーボード１０６、マウス１０７及びインターフェイス１０８を相互に通信可能に接続する。
【００４３】
次に、図１に示す画像表示装置１００の機能構成について説明する。
図４は、図１に示す画像表示装置１００の機能構成の一例を示す図である。なお、図４には、図１に示す画像表示装置１００の機能構成の他に、ＳＬＯ装置２００、時相データ生成装置３００及びデータサーバ装置４００も図示している。
【００４４】
画像表示装置１００は、図４に示すように、画像取得部１１０、時相データ取得部１２０、制御部１３０、記憶部１４０、画像処理部１５０、及び、表示部１６０の機能構成を有する。また、画像処理部１５０は、時相データ解析部１５１、評価部１５２、及び、画像位置合わせ処理部１５３を有して構成されている。
【００４５】
ここで、図３に示す画像表示装置１００のハードウェア構成と、図４に示す画像表示装置１００の機能構成との対応関係の一例について以下に示す。
例えば、図３に示すＣＰＵ１０１及び外部記憶メモリ１０４内に記憶されているプログラム、並びに、インターフェイス１０８から、図４に示す画像取得部１１０、時相データ取得部１２０、及び、制御部１３０が構成される。また、例えば、図３に示す外部記憶メモリ１０４から、図４に示す記憶部１４０が構成される。また、例えば、図３に示すＣＰＵ１０１及び外部記憶メモリ１０４内に記憶されているプログラムから、図４に示す画像処理部１５０が構成される。また、例えば、図３に示すＣＰＵ１０１及び外部記憶メモリ１０４内に記憶されているプログラム、並びに、モニタ１０５から、図４に示す表示部１６０が構成される。
【００４６】
画像取得部１１０は、制御部１３０の制御に基づいて、被検眼Ｅの眼底Ｅｒを撮影した複数のＡＯ−ＳＬＯ動画像や、当該ＡＯ−ＳＬＯ動画像の撮影領域を含む範囲を撮影して得られた広画角画像などを、ＳＬＯ装置２００から取得する第１の取得手段である。
【００４７】
時相データ取得部１２０は、制御部１３０の制御に基づいて、複数のＡＯ−ＳＬＯ動画像におけるそれぞれの撮影時に得られた被検者の生体信号に基づく時相データを取得する第２の取得手段である。ここで、本実施形態においては、時相データ取得部１２０は、時相データとして、被検眼Ｅに係る被検者の脈波データを取得するものとする。
【００４８】
制御部１３０は、画像表示装置１００の動作を統括的に制御するとともに、各種の処理を行う。
【００４９】
記憶部１４０は、画像取得部１１０で取得されたＡＯ−ＳＬＯ動画像や広画角画像、時相データ取得部１２０で取得された時相データ、制御部１３０や画像処理部１５０で処理された各種の画像や各種のデータや各種の情報を記憶する。さらに、記憶部１４０は、本実施形態の説明において既知とされている各種のデータや各種の情報などを記憶している。
【００５０】
画像処理部１５０は、画像取得部１１０で取得されたＡＯ−ＳＬＯ動画像や広画角画像を処理する。さらに、画像処理部１５０は、時相データ取得部１２０で取得された時相データの処理も行う。なお、画像処理部１５０内の時相データ解析部１５１、評価部１５２及び画像位置合わせ処理部１５３の処理については、図５以降に示すフローチャートの説明とともに説明する。
【００５１】
表示部１６０は、制御部１３０の制御に基づいて、各種の画像や各種のデータ、各種の情報を表示する。例えば、表示部１６０は、ＡＯ−ＳＬＯ動画像に基づく画像と、当該ＡＯ−ＳＬＯ動画像を含むデータセットの前記評価手段による評価結果とを表示する。
【００５２】
次に、本実施形態に係る画像表示装置１００による画像表示方法の処理手順について説明する。
図５は、本発明の第１の実施形態を示し、図４に示す画像表示装置１００による画像表示方法の処理手順の一例を示すフローチャートである。
【００５３】
＜ステップＳ５１０＞
画像取得部１１０は、ＳＬＯ装置２００から、被検眼Ｅの眼底Ｅｒにおける異なる位置の複数の撮影領域で撮影された複数のＡＯ−ＳＬＯ動画像と、当該複数の撮影領域を含む範囲を撮影して得られた広画角画像（以下、「ＷＦ−ＳＬＯ画像」という）を取得する。また、時相データ取得部１２０は、時相データ生成装置３００から、上述した複数のＡＯ−ＳＬＯ動画像におけるそれぞれの撮影時に得られた被検者の生体信号に基づく時相データを取得する。そして、制御部１３０は、ＡＯ−ＳＬＯ動画像と当該ＡＯ−ＳＬＯ動画像の撮影時に得られた時相データとを対とするデータセットとして記憶部１４０に記憶する制御を行う。
【００５４】
より具体的に、時相データ取得部１２０は、時相データ生成装置３００に対して被検者の生体信号に基づく時相データＰｉの取得を要求する。本実施形態では、時相データ生成装置３００として脈波計を用いるため、被検者の耳垂（耳たぶ）から脈波データを時相データＰｉとして取得する。
【００５５】
図６は、図４に示す時相データ取得部１２０で取得する時相データを説明するための図である。
この場合、時相データＰｉは、図６（ａ）に示すように、一方の軸に取得時刻（ｔ）、他方の軸に脈波計が計測した脈波信号値（ｐ）を持つ点列として表現される。時相データ生成装置３００は、時相データ取得部１２０からの取得要求に応じて対応する時相データＰｉを取得し、時相データ取得部１２０は、時相データ生成装置３００からＬＡＮ５００を介して当該時相データＰｉを取得する。
【００５６】
この時相データＰｉの取得と並行して、画像取得部１１０は、ＳＬＯ装置２００に対して、上述のＷＦ−ＳＬＯ画像と、複数の異なる固視標位置Ｆｉで撮影された上述の複数のＡＯ−ＳＬＯ動画像Ｄｉと、固視標位置Ｆｉデータの取得を要求する。
【００５７】
図７は、本発明の第１の実施形態を示し、固視標位置Ｆｉの一例を示す図である。ここで、図７には、ＷＦ−ＳＬＯ画像７００に、固視標位置Ｆ１〜Ｆ４が示されているものとする。本実施形態では、図７に示すように、黄斑部のＷＦ−ＳＬＯ画像７００と傍中心窩における鼻側（Ｆ１）、耳側（Ｆ２）、上側（Ｆ３）及び下側（Ｆ４）の計４か所に固視標位置Ｆｉを設定し、ＡＯ−ＳＬＯ動画像Ｄｉ（Ｄ１〜Ｄ４）を順次取得するものとする。なお、固視標位置Ｆｉの設定方法は、これに限定されるものではなく、任意の位置に設定することが可能である。また、ここでは、撮影時のデータのみを取得するものとしているが、データサーバ装置４００を介して、過去に撮影したデータを取得してもよい。
【００５８】
また、本実施形態では、ＡＯ−ＳＬＯ動画像と、その撮影時に取得された生体信号に基づく時相データとを関連付けることになるが、例えば、時相データ生成装置３００が取得する時相データＰｉのある位相に合わせて画像取得部１１０がＡＯ−ＳＬＯ動画像Ｄｉの取得を開始することや、或いは、ＡＯ−ＳＬＯ動画像Ｄｉの取得要求後直ちに時相データＰｉとＡＯ−ＳＬＯ動画像Ｄｉの取得を同時に開始する、などの手順が考えられる。ここで、本実施形態では、ＡＯ−ＳＬＯ動画像Ｄｉの取得要求後直ちに時相データＰｉとＡＯ−ＳＬＯ動画像Ｄｉの取得を開始するものとする。
【００５９】
ＳＬＯ装置２００は、画像取得部１１０からの取得要求に応じて、ＷＦ−ＳＬＯ画像とＡＯ−ＳＬＯ動画像Ｄｉ、固視標位置Ｆｉデータを取得して、画像取得部１１０に送信する。画像取得部１１０は、ＳＬＯ装置２００から、これらのＷＦ−ＳＬＯ画像とＡＯ−ＳＬＯ動画像Ｄｉ、固視標位置Ｆｉデータを受信して取得する。そして、制御部１３０は、画像取得部１１０で取得したＷＦ−ＳＬＯ画像、ＡＯ−ＳＬＯ動画像Ｄｉ、固視標位置Ｆｉを、時相データ取得部１２０で取得した時相データＰｉとともに、記憶部１４０に記憶する制御を行う。
【００６０】
＜ステップＳ５２０＞
時相データ解析部１５１は、ステップＳ５１０で取得されたＡＯ−ＳＬＯ動画像Ｄｉと、当該ＡＯ−ＳＬＯ動画像Ｄｉの撮影時に得られた時相データＰｉの同期処理を行う。
【００６１】
具体的に、まず、制御部１３０は、ＡＯ−ＳＬＯ動画像Ｄｉと時相データＰｉを記憶部１４０から読みだして、画像処理部１５０に送信する。次いで、時相データ解析部１５１は、図６（ｂ）に示すように、ＡＯ−ＳＬＯ動画像Ｄｉの各フレームごとに、各フレームを撮影したタイミングの時相データＰｉの脈波信号値を割り当てる処理を行い、その情報を制御部１３０を介して記憶部１４０に記憶する。ここで、図６（ｂ）の上側には、取得時刻（ｔ）に対する脈波信号値（ｐ）を持つ点列にフィッティングを行ったグラフが示されており、図６（ｂ）の下側には、各フレームとフレーム取得時に相当するタイミングの時間ｔを表す概念図が描かれている。
【００６２】
ＡＯ−ＳＬＯ動画像Ｄｉの各フレームを撮影したタイミングは、フレームの撮影を開始したタイミングの時間ｔを用いてもよく、また、１フレームの撮影時間の間の中間値のタイミングの時間ｔを用いてもよい。時相データＰｉは、撮影したＡＯ−ＳＬＯ動画像のフレームレートに対して十分なサンプリングレートを持つ場合には、各フレームに相当する時間ｔに最も近い時相データを割り当ててもよい。また、時相データＰｉのサンプリングレートが不足する場合には、図６（ｂ）に示すように点列データである時相データＰｉに対してフィッティングを行うことにより、データを補完してもよい。また、この場合のフィッティング方法は、特に限定されずに任意の方法でよい。仮に、ＡＯ−ＳＬＯ動画像Ｄｉの撮影時に得られた時相データＰｉが存在しない場合には、時相データ解析部１５１は、時相データＰｉが無い旨の情報を、制御部１３０を介して、記憶部１４０に記憶する。
【００６３】
＜ステップＳ５３０＞
評価部１５２は、ＡＯ−ＳＬＯ動画像と、当該ＡＯ−ＳＬＯ動画像の撮影時に得られた時相データとを対とするデータセットを、データセットごとに評価する処理を行う。具体的に、評価部１５２は、ＡＯ−ＳＬＯ動画像Ｄｉが時相データＰｉを伴い、かつ解析に十分な条件を満たすか否かに基づく評価を行う。ここで、評価部１５２により、ＡＯ−ＳＬＯ動画像Ｄｉごとになされた評価結果は、制御部１３０を介して、記憶部１４０に記憶される。
【００６４】
ここで、ステップＳ５３０の詳細な処理手順について、図８を用いて説明する。
図８は、図５のステップＳ５３０における詳細な処理手順の一例を示すフローチャートである。
【００６５】
≪ステップＳ５３１≫
評価部１５２は、ＡＯ−ＳＬＯ動画像Ｄｉについて、当該ＡＯ−ＳＬＯ動画像Ｄｉの撮影時に得られた時相データＰｉが有るか否かを判断する。即ち、このステップＳ５３１では、当該ＡＯ−ＳＬＯ動画像Ｄｉを含むデータセットについて時相データＰｉの有無に基づく評価を行う。
【００６６】
ステップＳ５３１の判断の結果、ＡＯ−ＳＬＯ動画像Ｄｉの撮影時に得られた時相データＰｉが無い場合には（Ｓ５３１／ＮＯ）、評価結果をＮＧとして、その評価結果情報を制御部１３０を介して記憶部１４０に記憶し、図８のフローチャートの処理を終了する。
【００６７】
一方、ステップＳ５３１の判断の結果、ＡＯ−ＳＬＯ動画像Ｄｉの撮影時に得られた時相データＰｉが有る場合には（Ｓ５３１／ＹＥＳ）、ステップＳ５３２に進む。
【００６８】
≪ステップＳ５３２≫
続いて、評価部１５２は、ＡＯ−ＳＬＯ動画像Ｄｉの各フレームが解析に十分な条件を満たしているかを判定する。具体的に、評価部１５２は、ＡＯ−ＳＬＯ動画像Ｄｉの各フレーム１枚１枚ごとにエラーフレームかどうかを判定し、そのフレームごとの判定結果情報を制御部１３０を介して記憶部１４０に記憶する。
【００６９】
ここで、エラーフレームの条件は、被検眼Ｅの瞬目により輝度が極端に低いフレームや固視微動により画像歪みが生じているフレーム、収差補正不良によりＳ／Ｎ比（信号対雑音比）が低いフレームなどとする。また、被検眼Ｅの瞬目やＳ／Ｎ比の評価方法は、任意の画質評価手法を用いてもよく、本実施形態では、平均輝度値がある閾値以下であれば、ＡＯ−ＳＬＯ動画像Ｄｉのフレームｊが瞬目による輝度異常とみなして、そのフレームをエラーフレームと判定する。また、画像歪みを判定する方法についても、任意の方法を用いることができ、例えばフレーム内の血管の交差部などのセグメンテーションを行って抽出した数点間の距離の二乗和の値が隣接フレーム間で閾値以上異なっていれば、固視微動による画像歪みとみなしてエラーフレームとしてもよい。その他、フレーム間でブロックマッチングのように類似度や画像の相関度などを計算する処理を行い、基準となるフレームもしくは、隣接するフレームとの類似度、もしくは相関値がある閾値よりも低いフレームは、エラーフレームとして判定するなどの処理を行ってもよい。このようにして、ＡＯ−ＳＬＯ動画像Ｄｉの各フレームごとにエラーフレームかどうかを判定する。即ち、ここでは、ＡＯ−ＳＬＯ動画像Ｄｉにおいて、各フレームの画質または被検眼Ｅの瞬きの有無に基づくエラーフレームが存在するか否かに基づく評価をする。
【００７０】
≪ステップＳ５３３≫
続いて、評価部１５２は、時相データＰｉを伴うＡＯ−ＳＬＯ動画像Ｄｉの中の各拍動の区間が、解析に十分な条件を満たすかを判定する。即ち、ここでは、ＡＯ−ＳＬＯ動画像Ｄｉにおいて、時相データＰｉにおける拍動の区間に解析に有効なフレームが存在するか否かに基づく評価をする。具体的に、評価部１５２は、ＡＯ−ＳＬＯ動画像Ｄｉの各拍動区間１周期に同期しているフレーム群の中に、十分な解析フレーム数が存在しているかどうかによって有効な拍動区間かを判定し、各拍動区間ごとの判定結果情報を制御部１３０を介して記憶部１４０に記憶する。
【００７１】
ここで、拍動区間の判定方法について、図６（ｃ）を用いて説明する。
まず、評価部１５２は、取得時刻（ｔ）に対する脈波信号値（ｐ）に対して閾値処理などを行うことによって拍動の１周期のデータごとに区分を明らかにする。そして、評価部１５２は、各拍動の１周期の時間と同期して撮影されたフレームのうち、ステップＳ５３２でエラーフレームとして判定されたフレームの数などに応じて、その拍動の１周期に同期しているフレーム群が解析に十分かどうかを判定する。その判定基準としては、例えば、拍動の１周期の間にエラーフレームの数が或る閾値以下の場合には解析に十分なフレーム群であると判定してもよい。また、他の判定基準としては、例えば、拍動の１周期のうちの或る限定された区間の中に、（例えば心臓の拡張末期近傍区間などに）エラーフレームが全くない場合には解析に十分なフレーム群であると判定してもよい。このように、判定基準、任意に設定可能である。
【００７２】
図６（ｃ）の例で説明すると、判定基準としてエラーフレームの数が拍動１周期の中で２枚以下をＯＫとした場合、左側の拍動の１周期の間には、エラーフレームが１枚しかないためＯＫである拍動の区間と判定され、右側の拍動の１周期の間には、瞬きによるエラーフレームが４枚存在しているため、ＮＧである拍動の区間と判定される。
【００７３】
≪ステップＳ５３４≫
続いて、評価部１５２は、時相データを伴うＡＯ−ＳＬＯ動画像Ｄｉが、解析に十分な条件を満たすかを判定する。具体的には、ＡＯ−ＳＬＯ動画像Ｄｉが有効な拍動区間を或る閾値以上有する場合に解析に十分な条件を満たすと判定する。そして、評価部１５２は、ＡＯ−ＳＬＯ動画像Ｄｉの判定結果情報（評価結果情報）を、制御部１３０を介して記憶部１４０に記憶する。これは、解析のあらゆる計測値の精度やＮ数による信頼性を考慮すると、ＡＯ−ＳＬＯ動画像Ｄｉ中の判定がＯＫとなる拍動区間が少なくとも複数存在することが好ましいからである。
【００７４】
そして、評価部１５２は、以上のステップＳ５３１〜ステップＳ５３４の一連の処理を、全てのデータセットについて評価する処理を行い、図５のステップＳ５３０における処理を終了する。
【００７５】
ここで、再び、図５の説明に戻る。
【００７６】
＜ステップＳ５４０＞
画像位置合わせ処理部１５３は、ＷＦ−ＳＬＯ画像に対して、ＡＯ−ＳＬＯ動画像Ｄｉの位置合わせを行う。
【００７７】
具体的に、画像位置合わせ処理部１５３は、ＡＯ−ＳＬＯ動画像Ｄｉを代表するフレームを選択し、そのフレームのＷＦ−ＳＬＯ画像上の位置情報を取得して、それぞれのＡＯ−ＳＬＯ動画像Ｄｉの位置情報を、制御部１３０を介して記憶部１４０に記憶する。ここで、代表フレームの選択は、任意のフレームが選ばれてもよく、ユーザが選択してもよく、または、画像処理プログラムが自動で選択してもよい。自動で選択する場合には、例えば、ＡＯ−ＳＬＯ動画像Ｄｉの各フレームの中で最も画質が良いものを選択してもよい。その場合、任意の画質評価法を用いることができ、例えばコントラストやＳＮ比などで評価してもよい。また、ＡＯ−ＳＬＯ動画像Ｄｉの各フレームを任意の画像位置合わせ処理し、位置合わせ後のフレームを重ねあわせして平均化した画像を生成してそれを代表フレームとしてもよい。
【００７８】
ＡＯ−ＳＬＯ動画像Ｄｉの位置情報の取得方法は、最も簡単な処理としては固視標位置Ｆｉデータを用いて、ＷＦ−ＳＬＯ画像の取得時の固視標位置から固視標位置Ｆｉまでの距離を換算して、ＷＦ−ＳＬＯ画像上の位置を求めてもよい。また、被検者の固視微動或いは顔の動きに伴う被検眼Ｅの動きの影響により、実際の撮影位置は固視標の位置からずれが生じるため、ＷＦ−ＳＬＯ画像に対してＡＯ−ＳＬＯ動画像Ｄｉを画像位置合わせして、位置情報を取得してもよい。この場合、任意の画像位置合わせ処理を行うことができ、位置情報はシフト量のみならず、回転やせん断などを考慮したアフィン変形パラメータを取得してもよい。
【００７９】
＜ステップＳ５５０＞
表示部１６０は、制御部１３０の制御に基づいて、画像処理部１５０で処理した結果を用いて、ＷＦ−ＳＬＯ画像上に、ＡＯ−ＳＬＯ動画像Ｄｉに基づく画像と評価結果とを表示する処理を行う。具体例について、図９を用いて説明する。
【００８０】
図９は、本発明の第１の実施形態を示し、図４に示す表示部１６０の表示例を示す図である。この図９においては、ＡＯ−ＳＬＯ動画像Ｄ１〜Ｄ４のうち、図７に示す固視標位置Ｆ１で撮影したＡＯ−ＳＬＯ動画像Ｄ１のみが評価ＮＧであったとする。
【００８１】
図９（ａ）では、ステップＳ５１０で取得したＷＦ−ＳＬＯ画像７００上に、ＡＯ−ＳＬＯ動画像Ｄ１〜Ｄ４に基づく代表フレーム９０１〜９０４が配置されており、評価ＯＫであったＡＯ−ＳＬＯ動画像Ｄ２〜Ｄ４に基づく代表フレーム９０２〜９０４が太い枠線で表示されている。なお、この図９（ａ）では、評価ＮＧであったＡＯ−ＳＬＯ動画像Ｄ１に基づく代表フレーム９０１は細い枠線で表示されており、評価が識別できるようになっている。この表示方法は、評価ＯＫであった画像が見分けられればよく、例えば、枠の色やスタイルを変えるなどその他の任意の表示方法でもよい。また、図９（ｂ）では、評価ＯＫであったＡＯ−ＳＬＯ動画像Ｄ２〜Ｄ４に基づく代表フレーム９０２〜９０４のみを表示する表示方法を示しており、このような表示方法を採用してもよい。このように表示することにより、ユーザは、解析を行うための条件を満たすＡＯ−ＳＬＯ動画像や再撮影すべき眼底Ｅｒの位置を容易に見分けることができる。
【００８２】
なお、図９に示す例では、ＡＯ−ＳＬＯ動画像に基づく画像として、ＡＯ−ＳＬＯ動画像に基づく代表フレームを表示する例を示したが、本発明はこれに限定されるものではなく、ＡＯ−ＳＬＯ動画像そのものを表示する形態も本発明に適用可能である。
【００８３】
第１の実施形態に係る画像表示装置１００では、被検眼Ｅの眼底Ｅｒにおける異なる位置の複数の撮影領域で撮影された複数のＡＯ−ＳＬＯ動画像を取得するとともに、当該複数のＡＯ−ＳＬＯ動画像におけるそれぞれの撮影時に得られた生体信号に基づく時相データを取得し、ＡＯ−ＳＬＯ動画像と当該ＡＯ−ＳＬＯ動画像の撮影時に得られた時相データとを対とするデータセットを評価するようにしている。そして、第１の実施形態に係る画像表示装置１００では、ＡＯ−ＳＬＯ動画像に基づく画像と当該ＡＯ−ＳＬＯ動画像を含むデータセットの評価結果とを表示するようにしている。
かかる構成によれば、被検眼の眼底における異なる位置の複数の撮影領域で撮影された複数のＡＯ−ＳＬＯ動画像の比較観察を容易に行うことができ、適切な診断を支援することができる。
【００８４】
（第２の実施形態）
次に、本発明の第２の実施形態について説明する。
【００８５】
第１の実施形態では、被検眼Ｅの眼底Ｅｒにおける異なる位置の複数の撮影領域で撮影された複数のＡＯ−ＳＬＯ動画像を取得し、その動画像に基づく画像を広画角画像上の撮影位置情報に基づく位置に評価結果とともに表示するものであった。これに対して、第２の実施形態では、被検眼Ｅの眼底Ｅｒにおける同じ撮影領域で撮影された複数のＡＯ−ＳＬＯ動画像を取得し、その動画像に基づく画像を評価結果とともに表示するものである。この第２の実施形態は、例えば眼底Ｅｒの同じ撮影領域を異なる検査日に撮影する、もしくは、治療などの前後での被検者の眼底Ｅｒの変化を観察するような目的で表示する場合を想定している。
【００８６】
以下の第２の実施形態の説明においては、上述した第１の実施形態と異なる部分について説明する。
【００８７】
第２の実施形態においても、図１に示す撮影システム１０と同様の装置構成を具備する。但し、ＳＬＯ装置２００において、被検眼Ｅの眼底Ｅｒにおける同じ撮影領域に係る複数のＡＯ−ＳＬＯ動画像を撮影する点が、第１の実施形態と異なる。
【００８８】
また、第２の実施形態においても、図３に示す画像表示装置１００のハードウェア構成、及び、図４に示す画像表示装置１００の機能構成と同様の構成を採る。
【００８９】
次に、本実施形態に係る画像表示装置１００による画像表示方法の処理手順について説明する。
図１０は、本発明の第２の実施形態を示し、図４に示す画像表示装置１００による画像表示方法の処理手順の一例を示すフローチャートである。
【００９０】
＜ステップＳ１０１０＞
第１の実施形態では、画像取得部１１０において、広画角画像であるＷＦ−ＳＬＯ画像と眼底Ｅｒの複数の撮影領域を撮影して得られた複数のＡＯ−ＳＬＯ動画像を取得しているが、第２の実施形態では、眼底Ｅｒの同じ撮影領域における複数のＡＯ−ＳＬＯ動画像を取得する。
【００９１】
ここで、取得する動画像の撮影位置は、広画角画像上で操作者が指定する位置近傍の全ての動画像を取得してもよく、また、操作者が指定する固視灯位置の動画像を取得してもよい。その他の手順などについては、図５のステップＳ５１０と同様である。
【００９２】
その後、図５のステップＳ５２０及びステップＳ５３０の処理を経る。
【００９３】
＜ステップＳ１０２０＞
第１の実施形態では、広画角画像であるＷＦ−ＳＬＯ画像に対する複数のＡＯ−ＳＬＯ動画像の画像位置合わせを行うが、第２の実施形態では、取得した複数のＡＯ−ＳＬＯ動画像同士の位置合わせを行う。ここで、各動画像ごとの代表フレームの選択方法は、図５のステップＳ５４０の処理と同様である。また、複数のＡＯ−ＳＬＯ動画像同士の位置合わせの方法も、基準画像が広画角画像であるＷＦ−ＳＬＯ画像ではなく、複数のＡＯ−ＳＬＯ動画像のうちの１つが選択される以外は、図５のステップＳ５４０と同様である。
【００９４】
この基準画像の選択は、任意のフレームが選択されてもよく、また、ユーザが選択しても画像処理プログラムが自動で選択してもよい。なお、自動で選択する場合には、例えば、ＡＯ−ＳＬＯ動画像の各フレームの中で最も画質が良いものを選択する。その場合、任意の画質評価法を用いてよく、例えばコントラストやＳＮ比などで評価してもよい。また、複数のＡＯ−ＳＬＯ動画像同士の位置合わせを行わずに、各ＡＯ−ＳＬＯ動画像ごとの代表フレームの選択だけを行ってもよい。
【００９５】
＜ステップＳ１０３０＞
表示部１６０は、制御部１３０の制御に基づいて、画像処理部１５０で処理した結果を用いて、ＡＯ−ＳＬＯ動画像Ｄｉに基づく画像と評価結果とを表示する処理を行う。具体例について、図１１を用いて説明する。
【００９６】
図１１は、本発明の第２の実施形態を示し、図４に示す表示部１６０の表示例を示す図である。この図１１では、表示画像上に、複数のＡＯ−ＳＬＯ動画像１１０１〜１１１６を並列に配置して表示している。
【００９７】
複数のＡＯ−ＳＬＯ動画像の表示のレイアウトや各ＡＯ−ＳＬＯ動画像の表示順番は、特に限定されるものではなく任意のものでよく、例えば撮影日時順に並べてもよい。なお、ステップＳ５３０において評価ＯＫとされた解析を行うための条件を満たすＡＯ−ＳＬＯ動画像には、各ＡＯ−ＳＬＯ動画像の右上に印１１２０がつけられている。この表示方法は、解析の条件を満たす画像が見分けられればよく、画像の枠の色やスタイルを変えるなどその他の任意の表示方法でもよい。またユーザの操作に応じて、評価ＯＫとされた解析を行うための条件を満たすＡＯ−ＳＬＯ動画像のみを表示するようにしてもよい。このように表示することにより、ユーザは、眼底Ｅｒの同じ撮影領域を撮影した複数のＡＯ−ＳＬＯ動画像を観察して、解析を行うための条件を満たすＡＯ−ＳＬＯ動画像を容易に見分けることができる。
【００９８】
なお、図１１に示す例では、ＡＯ−ＳＬＯ動画像に基づく画像として、ＡＯ−ＳＬＯ動画像そのものを表示する例を示したが、本発明はこれに限定されるものではなく、例えば第１の実施形態と同様にＯ−ＳＬＯ動画像に基づく代表フレームを表示する形態も本発明に適用可能である。
【００９９】
第２の実施形態に係る画像表示装置１００では、被検眼Ｅの眼底Ｅｒにおける同じ撮影領域で撮影された複数のＡＯ−ＳＬＯ動画像を取得するとともに、当該複数のＡＯ−ＳＬＯ動画像におけるそれぞれの撮影時に得られた生体信号に基づく時相データを取得し、ＡＯ−ＳＬＯ動画像と当該ＡＯ−ＳＬＯ動画像の撮影時に得られた時相データとを対とするデータセットを評価するようにしている。そして、第２の実施形態に係る画像表示装置１００では、ＡＯ−ＳＬＯ動画像に基づく画像と当該ＡＯ−ＳＬＯ動画像を含むデータセットの評価結果とを表示するようにしている。
かかる構成によれば、被検眼Ｅの眼底Ｅｒにおける同じ撮影領域で撮影された複数のＡＯ−ＳＬＯ動画像の比較観察を容易に行うことができ、適切な診断を支援することができる。
【０１００】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１０１】
また、上述した本発明の実施形態では、画像取得部１１０で取得する複数の動画像として、補償光学系を備えた走査型レーザー検眼鏡装置であるＳＬＯ装置２００で撮影された複数のＡＯ−ＳＬＯ動画像を取得する形態について説明を行ったが、本発明はこの形態に限定されるものではない。例えば、画像取得部１１０で取得する複数の動画像として、補償光学系を具備していない走査型レーザー検眼鏡装置（ＳＬＯ装置）で撮影された複数のＳＬＯ動画像を取得する形態も、本発明に適用可能である。
【０１０２】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想またはその主要な特徴から逸脱することなく、様々な形で実施することができる。
【符号の説明】
【０１０３】
１００  画像表示装置、１１０  画像取得部、１２０  時相データ取得部、１３０  制御部、１４０  記憶部、１５０  画像処理部、１５１  時相データ解析部、１５２  評価部、１５３  画像位置合わせ処理部、１６０  表示部、２００  ＳＬＯ装置、３００  時相データ生成装置、４００  データサーバ装置
【図１】
2017136205.tif 000003
【図２】
2017136205.tif 000004
【図３】
2017136205.tif 000005
【図４】
2017136205.tif 000006
【図５】
2017136205.tif 000007
【図６】
2017136205.tif 000008
【図７】
2017136205.tif 000009
【図８】
2017136205.tif 000010
【図９】
2017136205.tif 000011
【図１０】
2017136205.tif 000012
【図１１】
2017136205.tif 000013